(57)【特許請求の範囲】
【請求項１】
中空状の金属製の針体と、前記針体の基端部に固定された樹脂製の針ハブとを備えた医療用針の製造方法であって、
射出成形用金型のコアピンを前記針体の基端部に挿入して前記基端部を押し広げることにより、前記基端部に拡径部を成形する拡径部成形工程と、
前記拡径部成形工程の後、前記拡径部がスプリングバックするように、前記針体に対して前記コアピンを所定距離だけ相対的に後退させるコアピン後退工程と、
前記コアピン後退工程の後、前記針体と前記コアピンとの相対位置を保持したまま、前記射出成形用金型内に樹脂を射出することにより、前記針ハブを成形する射出成形工程と、を含み、
前記コアピン後退工程では、前記拡径部と前記コアピンとの間に、前記樹脂が流入不可能な隙間を形成するように、前記針体に対して前記コアピンを相対的に後退させる、
ことを特徴とする医療用針の製造方法。
【請求項２】
請求項１記載の医療用針の製造方法において、
前記コアピンは、
前記拡径部を成形する拡径部成形部と、
前記拡径部成形部よりも小径であり、前記拡径部成形部の先端から先端方向に延出し、前記針体の基端部内に挿入され、前記針体を内側から支持する支持部と、を有する、
ことを特徴とする医療用針の製造方法。
【請求項３】
請求項１又は２記載の医療用針の製造方法において、
前記拡径部は、基端方向に向かって拡径するフレア形状部である、
ことを特徴とする医療用針の製造方法。
【請求項４】
請求項２記載の医療用針の製造方法において、
前記拡径部は、基端方向に向かって拡径するフレア形状部であり、
前記拡径部成形部は、外径が先端方向に向かって小さくなるテーパ形状部である、
ことを特徴とする医療用針の製造方法。
【請求項５】
中空状の金属製の針体と、前記針体の基端部に固定された樹脂製の針ハブとを備えた医療用針を製造するための医療用針の製造装置であって、
前記針ハブの外部形状を成形するためのキャビティと、前記針ハブの内部形状を成形するためのコアピンとを有する射出成形用金型と、
前記射出成形用金型内に樹脂を射出する射出部と、
前記針体に対して前記コアピンを軸方向に移動させる移動機構部と、
前記射出部及び前記移動機構部を制御する制御部と、を備え、
前記制御部は、
前記コアピンを前記針体の基端部に挿入して前記基端部を押し広げることにより、前記基端部に拡径部を成形する拡径部成形工程と、
前記拡径部成形工程の後、前記拡径部がスプリングバックするように、前記針体に対して前記コアピンを所定距離だけ相対的に後退させるコアピン後退工程と、
前記コアピン後退工程の後、前記針体と前記コアピンとの相対位置を保持したまま、前記射出成形用金型内に前記樹脂を射出することにより、前記針ハブを成形する射出成形工程と、
を行うように前記射出部及び前記移動機構部を制御し、
前記制御部は、前記コアピン後退工程において、前記拡径部と前記コアピンとの間に、前記樹脂が流入不可能な隙間を形成するように、前記針体に対してコアピンを相対的に後退させる、
ことを特徴とする医療用針の製造装置。
【請求項６】
請求項５記載の医療用針の製造装置において、
前記コアピンは、
前記拡径部を成形する拡径部成形部と、
前記拡径部成形部よりも小径であり、前記拡径部成形部の先端から先端方向に延出し、前記針体の基端部内に挿入され、前記針体を内側から支持する支持部と、を有する、
ことを特徴とする医療用針の製造装置。
【発明の詳細な説明】
【技術分野】
【０００１】
本発明は、針体の基端部に針ハブが固定された医療用針をインサート成形により製造するための医療用針の製造方法及び製造装置に関する。
【背景技術】
【０００２】
生体に穿刺可能な針先が形成された中空状の金属製の針体と、この針体の基端部に固定された樹脂製の針ハブとを有する医療用針の製造方法としては、従来、接着法と、インサート成形法とがある。接着法では、針体と針ハブとを別々に製造しておき、針体と針ハブとを接着剤を用いて固定する。一方、インサート成形法では、針ハブ成形用の射出成形用金型に針体をセットし、射出成形用金型内に樹脂を射出することで、針体の基端部に針ハブを一体的に成形する。
【０００３】
下記特許文献１には、インサート成形法により医療用針を製造する方法が提案されている。具体的に、特許文献１の製造方法では、針体の後端部よりコアピンを挿入することで当該後端部を強制的にフレア状に押し広げ、次に、射出成形用金型内に樹脂を射出成形することにより針ハブを成形する。
【先行技術文献】
【特許文献】
【０００４】
【特許文献１】特開昭６２−２４３５６４号公報
【発明の概要】
【発明が解決しようとする課題】
【０００５】
特許文献１の製造方法では、射出成形後にコアピンを成形品から抜くと、針体基端部（フレア形状部）がスプリングバックによって元に戻ろうとすることで、針ハブの内周部において、針ハブと針体との境界部に段差・めくれバリが発生するという問題がある。特に、医療用針の基端側から医療用長尺体（例えば、ガイドワイヤ等）を挿入するような場合に、上記の段差・めくれバリがあると、医療用長尺体をスムーズに挿入することが困難になる。
【０００６】
本発明はこのような課題を考慮してなされたものであり、針ハブの内周部において、針ハブと針体との境界部に段差・めくれバリが発生することを抑制することができる医療用針の製造方法及び製造装置を提供することを目的とする。
【課題を解決するための手段】
【０００７】
上記の目的を達成するため、本発明は、中空状の金属製の針体と、前記針体の基端部に固定された樹脂製の針ハブとを備えた医療用針の製造方法であって、射出成形用金型のコアピンを前記針体の基端部に挿入して前記基端部を押し広げることにより、前記基端部に拡径部を成形する拡径部成形工程と、前記拡径部成形工程の後、前記拡径部がスプリングバックするように、前記針体に対して前記コアピンを所定距離だけ相対的に後退させるコアピン後退工程と、前記コアピン後退工程の後、前記針体と前記コアピンとの相対位置を保持したまま、前記射出成形用金型内に樹脂を射出することにより、前記針ハブを成形する射出成形工程と、を含み、前記コアピン後退工程では、前記拡径部と前記コアピンとの間に、前記樹脂が流入不可能な隙間を形成するように、前記針体に対して前記コアピンを相対的に後退させることを特徴とする。
【０００８】
上記の工程を含む本発明の医療用針の製造方法によれば、コアピンで針体の基端部に拡径部を成形することにより、当該基端部の内面形状がコアピンの形状に矯正される。すなわち、成形に用いたコアピンの外面形状に合わせ、針体の内面を形状付けすることができる。従って、外面形状の真円度に優れたコアピンを用いることにより、針体の拡径部内面の真円度を他の部分よりも優れたものとすることができる。さらに、拡径部成形加工が施された針体に対してコアピンを所定距離だけ相対的に後退させることにより、拡径部をスプリングバックさせ、その後に射出成形を行う。このため、コアピンと針体（基端部）との間には、略一定の隙間が形成され、針体の内面形状とコアピンの外面形状の違いによる部分的な大きな隙間の発生がなく、射出成形に伴う樹脂の部分的な侵入によるバリの発生を抑制することができる。また、射出成形の前にスプリングバックを行うので、コアピンを取り除いた後で針体が変形することがないので、成形された針ハブ内部における針体との段差や、めくれバリの発生を抑制することができる。さらに、コアピン後退工程によりコアピンと針体との間に適度な隙間が生じるため、射出成形時に当該隙間を介して金型内の空気を外部に逃がしやすい。これにより、気泡、ヒケ等の成形不良の発生を抑制することができるとともに、針体の基端部でのバリの発生を確実に防止することができる。
【００１１】
上記の医療用針の製造方法において、前記コアピンは、拡径部を成形する拡径部成形部と、前記拡径部成形部よりも小径であり、前記拡径部成形部の先端から先端方向に延出し、前記針体の基端部内に挿入され、前記針体を内側から支持する支持部と、を有してもよい。
【００１２】
これにより、例えば、拡径部成形部の先端側に、先端方向に向かって縮径するテーパ状先端挿入部を有するコアピンを使用する場合と比較して、バリの発生を抑制できる加工条件幅をより広く設定しやすい。
【００１３】
上記の医療用針の製造方法において、前記拡径部は、基端方向に向かって拡径するフレア形状部であってもよい。また、上記の医療用針の製造方法において、前記拡径部は、基端方向に向かって拡径するフレア形状部であり、前記拡径部成形部は、外径が先端方向に向かって小さくなるテーパ形状部であってもよい。
【００１４】
また、本発明は、中空状の金属製の針体と、前記針体の基端部に固定された樹脂製の針ハブとを備えた医療用針を製造するための医療用針の製造装置であって、前記針ハブの外部形状を成形するためのキャビティと、前記針ハブの内部形状を成形するためのコアピンとを有する射出成形用金型と、前記射出成形用金型内に樹脂を射出する射出部と、前記針体に対して前記コアピンを軸方向に移動させる移動機構部と、前記射出部及び前記移動機構部を制御する制御部と、を備え、前記制御部は、前記コアピンを前記針体の基端部に挿入して前記基端部を押し広げることにより、前記基端部に拡径部を成形する拡径部成形工程と、前記拡径部成形工程の後、前記拡径部がスプリングバックするように、前記針体に対して前記コアピンを所定距離だけ相対的に後退させるコアピン後退工程と、前記コアピン後退工程の後、前記針体と前記コアピンとの相対位置を保持したまま、前記射出成形用金型内に前記樹脂を射出することにより、前記針ハブを成形する射出成形工程と、を行うように前記射出部及び前記移動機構部を制御し、前記制御部は、前記コアピン後退工程において、前記拡径部と前記コアピンとの間に、前記樹脂が流入不可能な隙間を形成するように、前記針体に対してコアピンを相対的に後退させることを特徴とする。
【００１６】
上記の医療用針の製造装置において、前記コアピンは、前記拡径部を成形する拡径部成形部と、前記拡径部成形部よりも小径であり、前記拡径部成形部の先端から先端方向に延出し、前記針体の基端部内に挿入され、前記針体を内側から支持する支持部と、を有してもよい。
【発明の効果】
【００１８】
本発明の医療用針の製造方法及び製造装置によれば、針ハブの内周部において、針ハブと針体との境界部に段差・めくれバリが発生することを抑制することができる。
【図面の簡単な説明】
【００１９】
【図１】本発明の本実施形態に係る医療用針の製造方法により製造される医療用針の断面図である。
【図２】本発明の本実施形態に係る医療用針の製造装置の概略図である。
【図３】図３Ａは、フレア加工工程の第１説明図であり、図３Ｂは、フレア加工工程の第２説明図である。
【図４】コアピン後退工程の説明図である。
【図５】射出成形工程の説明図である。
【図６】変形例に係るコアピンを用いた場合の射出成形工程の説明図である。
【発明を実施するための形態】
【００２０】
以下、本発明に係る医療用針の製造方法及び製造装置、並びに医療用針について好適な実施形態を挙げ、添付の図面を参照しながら説明する。
【００２１】
図１に示す医療用針１０は、例えば、血管にカテーテルを挿入する際に使用するイントロデューサキットの構成要素である穿刺針や、輸液等を患者に投与するために患者の皮膚に穿刺して留置する留置針の構成要素である内針等として構成される。
【００２２】
図１に示すように、医療用針１０は、生体の皮膚に穿刺可能な中空状の針体１２（カヌラ）と、針体１２の基端部に固定された針ハブ１４とを備える。
【００２３】
針体１２は、軸方向に貫通するルーメン１３が形成された金属製の中空円筒管である。このルーメン１３は、針体１２の先端開口に連通する。針体１２の先端部には、軸線に対して傾斜する刃面１２ａが設けられ、針体１２の最先端部（刃面１２ａの先端）には、鋭利な針先１２ｂが設けられている。
【００２４】
針体１２の基端部には、他の部分（針体１２のうち当該基端部よりも先端側の部分）よりも拡径した拡径部１６として、基端方向に向かって外径及び内径がテーパ状に拡径するフレア形状部１６Ａが設けられている。なお、針体１２において、刃面１２ａの基端とフレア形状部１６Ａの先端との間の部分は、外形が略一定のストレート状に形成されている。
【００２５】
針体１２は、生体の皮膚を穿刺する際に大きく撓むことがないように適度の剛性を有する。そのような針体１２を構成する金属材料としては、例えば、ステンレス鋼、コバルトクロム合金、アルミニウム又はアルミニウム合金、チタン又はチタン合金等が挙げられる。
【００２６】
針ハブ１４は、軸方向に貫通して内腔を有する中空状の樹脂製部材であり、インサート成形によって針体１２の基端部に設けられている。針ハブ１４の内腔１５は、針体１２のルーメン１３と連通するとともに、針ハブ１４の基端面にて基端開口部１４ａとして開口している。
【００２７】
針ハブ１４の先端側領域を構成する先端筒部１８は、針体１２の基端部の外周面に密着して固定されている。針ハブ１４の最先端部は、針体１２のフレア形状部１６Ａよりも先端側に位置する。針ハブ１４において、先端筒部１８の基端側には、基端方向に向かって内径及び外径が拡大する傾斜部２０が形成されている。この傾斜部２０の内面とフレア形状部１６Ａの内面とは、略段差なく隣接している。傾斜部２０の基端側には、傾斜部２０よりも小さい勾配で基端方向に向かって内径及び外径が拡大する胴体部２１が形成されている。医療用針１０は、針体１２の基端部に拡径部１６を有し、当該拡径部１６の内周形状が、針体１２の拡径部１６以外の部分の内周形状よりも、真円に近く、針ハブ１４に固定された針体１２の基端部において、ルーメン１３の拡径部１６の内表面と拡径部１６の基端面が隣接する針ハブ１４の傾斜部２０の内表面とが、実質的に段差のない医療用針となっている。
【００２８】
針ハブ１４を構成する樹脂材料としては、例えば、ポリプロピレン、ポリスチレン、ポリカーボネート、ポリアミド、ポリスルホン、ポリアリレート、メタクリレート−ブチレン−スチレン共重合体等の熱可塑性樹脂が挙げられる。
【００２９】
次に、図２を参照し、上述した医療用針１０を製造するための製造装置２２について説明する。
【００３０】
この製造装置２２は、射出成形用金型２４と、射出部２６と、移動機構部２８と、制御部３０とを備えており、針体１２の基端部に針ハブ１４をインサート成形により成形するように構成されている。
【００３１】
射出成形用金型２４は、針ハブ１４の外面形状を成形する凹部であるキャビティ３２を有する雌金型３４と、針ハブ１４の内面形状（針体１２よりも基端側の部分）を成形するコアピン３６を有する雄金型３８とを備える。雌金型３４内にコアピン３６が配置された状態で、キャビティ３２とコアピン３６との間に、成形しようとする針ハブ１４の形状に対応した隙間（成形空間４０）が形成される。
【００３２】
雌金型３４のキャビティ３２は、針ハブ１４の先端筒部１８の外面形状を成形する第１成形部４２と、針ハブ１４の傾斜部２０の外面形状を成形する第２成形部４４と、針ハブ１４の胴体部２１の外面形状を成形する第３成形部４６とを有する。また、雌金型３４の一端側には、針体１２を挿通させる第１挿通孔４８が形成されており、雌金型３４の他端側には、コアピン３６を挿通させる第２挿通孔５０が形成されている。
【００３３】
なお、図２では図示を簡略しているが、射出成形によって得た成形品を雌金型３４から取り出すことができるように、雌金型３４は、複数個の分離可能な金型によって構成されている。
【００３４】
コアピン３６は、針体１２の基端部に挿入される先端挿入部５２と、先端挿入部５２の基端側に隣接して形成され、外形が先端方向に向かって小さくなるテーパ形状部５４Ａ（拡径部成形部５４）と、このテーパ形状部５４Ａの基端側に隣接して形成され、針ハブ１４の胴体部２１の内面形状を成形する胴体成形部５６とを有する。
【００３５】
本実施形態において、先端挿入部５２は、テーパ形状部５４Ａの先端から先端方向に外径が略一定で延出する円柱状のストレート部５８（支持部）と、ストレート部５８の先端に設けられた球面状先端６０とを有する。ストレート部５８の外径は、針体１２の内径と略同じであるが、厳密には、針体１２の内径よりも僅かに小さい。従って、先端挿入部５２が針体１２の基端部内に挿入された状態で、ストレート部５８の外周面と針体１２の内周面との間には、空気は進入可能であるが、射出成形に用いる樹脂（溶融樹脂）は進入不可能な程度の微小隙間が形成される。
【００３６】
コアピン３６のテーパ形状部５４Ａは、後述するフレア加工工程（拡径部成形工程）において針体１２の基端部にフレア形状部１６Ａを成形する拡径部成形部５４を構成するとともに、後述する射出成形工程において針ハブ１４の傾斜部２０の内面形状を成形する部分である。コアピン３６の軸線に対する拡径部成形部５４の外面の角度は、例えば、０〜９０°に設定される。好ましくは、５〜６０°、より好ましくは１０〜４５°である。なお、外面の角度とは、拡径部成形部５４の中心線を含む矢状断面における二つの外形線のなす角度とする。拡径部成形部５４の外面の角度が０°の状態とは、前記二つの外形線が平行である場合である。拡径部成形部５４の外面の角度が０°より大きい場合、拡径部成形部５４は、本実施形態のようにテーパ形状部５４Ａの形態を有する。これに対し、拡径部成形部５４の外面の角度が０°の場合、拡径部成形部５４は、先端挿入部５２よりも外径が大きく、且つ軸方向に外径が一定のストレート拡径部の形態を有する。ストレート拡径部の直径は、針体１２の設定内径よりも２０〜４０μｍ大きく設定する。
【００３７】
図２において、射出部２６は、射出成形用金型２４の成形空間４０に図示しない注入路を介して樹脂（溶融樹脂）を射出するように構成されている。この射出部２６は、公知の射出成形機の射出ユニットと同様に構成されてよい。
【００３８】
移動機構部２８は、雌金型３４に対して雄金型３８（コアピン３６）を軸方向に進退移動させるように構成されている。移動機構部２８の駆動源は、特に限定されず、例えば、シリンダ装置、リニアモータ、回転モータ等であってよい。以下では、コアピン３６の先端方向への移動を「前進」ともいい、コアピン３６の基端方向への移動を「後退」ともいう。
【００３９】
制御部３０は、後述するフレア加工工程、コアピン後退工程及び射出成形工程を行うように、射出部２６及び移動機構部２８を制御する。制御部３０は、これらの工程を実行するためのプログラムを格納したメモリ及び演算処理部を備えた専用コンピュータであってもよく、あるいは当該プログラムがインストールされた汎用コンピュータであってもよい。
【００４０】
次に、上記のように構成された製造装置２２の作用との関係で、本実施形態に係る医療用針１０の製造方法を説明する。当該製造方法は、以下のように、フレア加工工程（拡径部成形工程）と、コアピン後退工程と、射出成形工程とを含む。
【００４１】
フレア加工工程に先立って、図３Ａのように、雌金型３４の第１挿通孔４８に針体１２の基端側を挿通させる。この場合、雌金型３４のキャビティ３２内に針体１２の基端部を所定長だけ突出させた状態で、図示しない適宜の固定手段により、雌金型３４に対して針体１２を固定する。次に、移動機構部２８（図２参照）の駆動作用下に、図３Ａのように、コアピン３６を前進させることにより、針体１２の基端部内にコアピン３６の先端挿入部５２を挿入していく。
【００４２】
そして、フレア加工工程では、図３Ｂのように、コアピン３６の前進に伴って針体１２の基端部を押し広げることにより、当該基端部にフレア形状部１６Ａを成形する。すなわち、コアピン３６の前進に伴って、コアピン３６のテーパ形状部５４Ａが、針体１２の基端部を内側から外側に向かって強制的に押し広げることで、針体１２の基端部が塑性変形を伴ってフレア状に成形される。成形完了時のフレア形状部１６Ａは、コアピン３６のテーパ形状部５４Ａの外面形状に一致する形状となっている。このとき、コアピン３６を前進させる前進量は、０．１〜０．３ｍｍが好ましい。前進量は、針体１２を金型内に固定する固定位置とコアピン３６の設定値と設定移動量により制御することができる。
【００４３】
なお、テーパ形状部５４Ａに代えて、コアピン３６が上述したストレート拡径部を有する場合は、コアピン３６の前進に伴って針体１２の基端部を押し広げることにより、針体１２の基端部には、拡径部１６の他の形態として、軸方向に外径が一定の拡径ストレート形状部が成形される。
【００４４】
次に、コアピン後退工程を実施する。コアピン後退工程では、フレア形状部１６Ａがスプリングバックするように、針体１２に対してコアピン３６を所定距離だけ相対的に後退させる。具体的には、移動機構部２８（図２参照）の駆動作用下に、図４のように、針体１２に対してコアピン３６を所定距離だけ僅かに後退させる。フレア形状部１６Ａをスプリングバックさせるのに必要なコアピン３６の後退距離は、針体１２の材質、外径、壁の厚さ、前進量等の条件によって変わるが、例えば、０．０１〜０．１ｍｍ程度である。好ましくは、０．０３〜０．０８ｍｍ、より好ましくは、０．０５〜０．０７ｍｍ程度である。
【００４５】
このようなコアピン３６の後退によって、フレア形状部１６Ａにおいてスプリングバックが発生する。すなわち、フレア加工工程における針体１２の基端部の変形は、大部分が塑性変形であるが、一部は弾性変形である。このため、フレア加工工程後にコアピン３６を後退させると、フレア形状部１６Ａは弾性復元力によって僅かに縮径する。図４では、スプリングバックする前のフレア形状部１６Ａを仮想線で示している。コアピン後退工程において、フレア形状部１６Ａの内周形状は、針体１２のフレア形状部１６Ａ以外の部分の内周形状よりも、真円に近い。なお、フレア形状部１６Ａに代えて、針体１２の基端部に拡径ストレート形状部が成形される場合においても、コアピン後退工程により、拡径ストレート形状部においてスプリングバックが発生する。
【００４６】
この場合、本実施形態のコアピン後退工程では、フレア形状部１６Ａの内周面とコアピン３６（テーパ形状部５４Ａ）の外周面との間に、樹脂が流入不可能な程度に微小な隙間Ｇを形成するように、針体１２に対してコアピン３６を後退させる。隙間Ｇは、環状の空間である。隙間Ｇの大きさｔ（フレア形状部１６Ａの基端縁とテーパ形状部５４Ａとの間の、テーパ形状部５４Ａの法線方向の距離）は、射出成形の条件にもよるが、例えば、１０μｍ以下であるのがよい。これにより、バリがなく、針ハブ１４内面と針体１２内面とを実質的に段差のない状態とすることができる。
【００４７】
次に、射出成形工程を実施する。射出成形工程では、図５のように、針体１２とコアピン３６との相対位置を保持したまま、射出成形用金型２４内（成形空間４０）に樹脂を射出することにより、針ハブ１４をインサート成形する。具体的には、キャビティ３２とコアピン３６との間に形成された成形空間４０への樹脂６４（溶融樹脂）の注入により、樹脂６４は成形空間４０内を流動し、成形空間４０は樹脂で充填される。
【００４８】
この場合、コアピン３６のテーパ形状部５４Ａによって成形された針体１２のフレア形状部１６Ａは、コアピン後退工程によるスプリングバック後においても、テーパ形状部５４Ａの外面形状と略一致する内面形状を有している。このため、針体１２とテーパ形状部５４Ａとの間には、射出成形時の樹脂６４が流入可能な隙間が形成されないことから、射出成形に伴うバリの発生を抑制することができる。
【００４９】
また、射出成形工程において、フレア形状部１６Ａの内周面とテーパ形状部５４Ａの外周面との間には微小な隙間Ｇが形成されているとともに、先端挿入部５２の外周面と当該外周面に対向する針体１２の内周面との間にも微小な隙間が形成されている。このため、成形空間４０内に存在していた空気は、これらの隙間を介して、外部と連通する針体１２のルーメン１３へと移動することができる。従って、気泡、ヒケ等の成形不良の発生を抑制することができる。
【００５０】
射出成形工程によって針ハブ１４が成形されたら、次に、移動機構部２８（図２参照）の駆動作用下にコアピン３６を後退させ、針体１２と一体化された針ハブ１４を射出成形用金型２４から取り外す。この場合、上述したコアピン後退工程によってフレア形状部１６Ａはすでにスプリングバック（縮径）しているため、射出成形後のコアピン３６の後退時にフレア形状部１６Ａがさらに縮径することはない。
【００５１】
従って、成形された針ハブ１４内において、針体１２との段差（傾斜部２０の内面に対してフレア形状部１６Ａが内方に突出することによる段差）の発生を抑制することができる。また、スプリングバックによるめくれバリ（フレア形状部１６Ａのスプリングバック時に、フレア形状部１６Ａの基端によって傾斜部２０の内周部がめくられることで形成されるバリ）の発生も抑制することができる。
【００５２】
以上説明したように、本実施形態に係る医療用針１０の製造方法によれば、コアピン３６で針体１２の基端部をフレア加工することにより、当該基端部の内面形状がコアピン３６の形状に矯正される。このため、コアピン３６と針体１２（基端部）との間には、樹脂６４が流入可能な隙間が形成されないことから、射出成形に伴うバリの発生を抑制することができる。
【００５３】
また、本製造方法では、フレア加工が施された針体１２に対してコアピン３６を所定距離だけ相対的に後退させることにより、フレア形状部１６Ａをスプリングバックさせ、その後に射出成形を行う。このため、成形された針ハブ１４内部における針体１２との段差やめくれバリの発生を抑制することができる。
【００５４】
しかも、コアピン後退工程によりコアピン３６と針体１２との間に適度な隙間Ｇが生じるため、射出成形時に当該隙間Ｇを介して金型内の空気を外部に逃がしやすい。これにより、気泡、ヒケ等の成形不良の発生を抑制することができる。
【００５５】
特に、コアピン後退工程では、フレア形状部１６Ａとコアピン３６との間に、樹脂が流入不可能な隙間Ｇを形成するように、針体１２に対してコアピン３６を相対的に後退させる。これにより、針体１２の基端部でのバリの発生を確実に防止することができる。
【００５６】
本製造方法による上記効果は、フレア形状部１６Ａに代えて、針体１２の基端部に拡径ストレート形状部が成形される場合も同様に得られる。
【００５７】
なお、上述した医療用針１０の製造方法及び製造装置２２において、ストレート形状の先端挿入部５２を有するコアピン３６に代えて、図６に示す変形例に係るコアピン３６ａを採用してもよい。このコアピン３６ａは、テーパ形状部５４Ａの先端側に、先端方向に向かって縮径するテーパ状先端挿入部６６を有する。コアピン３６を採用して医療用針１０を製造する場合の上記作用効果は、コアピン３６ａを採用した場合においても同様に得られる。
【００５８】
但し、ストレート形状の先端挿入部５２を有するコアピン３６を採用すれば、テーパ状先端挿入部６６を有するコアピン３６ａを採用した場合と比較して、バリの発生を抑制できるフレア加工条件幅をより広く設定しやすい。これは以下の理由による。
【００５９】
コアピン３６ａを用いた場合では、コアピン３６ａの後退に伴って針体１２の基端部の内面（フレア形状部１６Ａよりも先端側の内面）がコアピン３６ａで支持されなくなるため、図６のように、樹脂６４の充填時に樹脂圧Ｐが針体１２の側方から作用すると、針体１２の基端部がコアピン３６ａに対して偏心する。従って、コアピン３６ａの後退距離がある程度以上では、フレア形状部１６Ａとコアピン３６ａとの間には、相対的に大きい隙間と小さい隙間が生じ、大きい方の隙間に樹脂６４が入り込むと、成形品にバリが発生する。そのため、コアピン後退工程におけるコアピン３６の後退距離は、このようなバリを発生させないように設定する必要がある。
【００６０】
一方、図５のように、コアピン３６を用いた場合では、コアピン後退工程によってコアピン３６が後退した後においても、ストレート部５８を有する先端挿入部５２によって、針体１２の基端部の内面（フレア形状部１６Ａよりも先端側の内面）が支持される。このため、樹脂６４の充填時に樹脂圧が針体１２の側方から作用しても、針体１２の基端部がコアピン３６に対して偏心することがない。従って、コアピン３６を用いる場合、偏心によるバリの発生という制約を受けないことから、コアピン３６ａを用いる場合よりも、コアピン後退工程でのコアピン３６の後退距離を長く設定することができる。すなわち、コアピン３６を用いると、コアピン３６ａを用いる場合と比較して、バリの発生を抑制できるフレア加工条件幅をより広く設定しやすい。
【００６１】
本発明は上述した実施形態に限定されるものではなく、本発明の要旨を逸脱しない範囲において、種々の改変が可能である。
【符号の説明】
【００６２】
１０…医療用針                      １２…針体
１４…針ハブ                        １６Ａ…フレア形状部
２２…製造装置                      ２４…射出成形用金型
２６…射出部                        ２８…移動機構部
３０…制御部                        ３４…雌金型
３６、３６ａ…コアピン              ３８…雄金型
５４Ａ…テーパ形状部                ６４…樹脂
Ｇ…隙間
【図１】
0006618335.tif 000002
【図２】
0006618335.tif 000003
【図３】
0006618335.tif 000004
【図４】
0006618335.tif 000005
【図５】
0006618335.tif 000006
【図６】
0006618335.tif 000007